(57)【要約】  本発明は、ＬＣＯＳ投射システム用の照明源に関する。この照明源は、蛍光体ベースの共振微小空洞（１０５）のアレイを励起するＣＲＴである。共振微小空洞のアレイで使用するために、均一な蛍光体タイプを選択することにより、選択された色の光を排他的に発生するようにＣＲＴを設計することができる。光がＬＣＯＳデバイス（２１２）を通り抜けて、画像を発生するように、共振微小空洞を配置することができる。スクリーン上に投影するために、画像を拡大して結像させるために、投写レンズ（２１６）を設けることもできる。
2005515508.tif 000002
【特許請求の範囲】
【請求項１】
複数の制御可能なピクセルを定める画像形成装置（２１２）と、
選択された色の光を排他的に発生する光源であって、前記光を前記画像形成装置を通って伝達して、画像を発生するように構成された、前記光源（２０２、２０４、２０６）と、
前記画像を拡大して、スクリーン上に投影するために前記画像を結像させる投写レンズ（２１６）と、から成り、
前記光源が、活性領域（１１）を有する共振微小空洞（１０５）を励起するＣＲＴデバイス（１００）から成り、前記活性領域が、前記選択された色の光を排他的に発する蛍光体を有する、投射型表示ユニット。
【請求項２】
前記画像形成装置がＬＣＯＳデバイスである、請求項１に記載の投射型表示ユニット。
【請求項３】
前記画像形成装置が３つ設けられ、前記ＣＲＴデバイスが３つ設けられ、前記ＣＲＴデバイスの各々は、前記画像形成装置の各１つを通って投影するための別個の色の光を排他的に発生し、３つの別個のカラー画像を発生する、請求項１に記載の投射型表示ユニット。
【請求項４】
前記３つのＣＲＴデバイスが、赤、緑、青の光をそれぞれ発生する、請求項３に記載の投射型表示ユニット。
【請求項５】
前記別個のカラー画像を合成して、単一の複合画像を形成する光学的合成器を更に含む、請求項４に記載の投射型表示ユニット。
【請求項６】
投光スクリーンの陰極線管（１０２）と、
選択された色の光を排他的に発生するために、前記ＣＲＴデバイスにより励起される共振微小空洞（１０５）のアレイと、から成る、ＬＣＯＳ投射システム用の照明源。
【請求項７】
前記光がＬＣＯＳデバイス（２１２）を通って投射され、画像を発生するように前記共振微小空洞のアレイが配置されている、請求項６に記載の照明源。
【請求項８】
前記画像を拡大して、前記画像をスクリーン上に投影するための投写レンズ（２１６）を更に含む、請求項７に記載の照明源。
【請求項９】
選択された色の光を排他的に発するように構成された共振微小空洞のアレイをＣＲＴで励起するステップと、
複数の制御可能なピクセルを定めるＬＣＯＳ画像形成装置を通るように前記光を投写して、画像を発生するステップと、
前記画像を拡大して、スクリーン上に投影するためのレンズを通して前記画像を結像するステップと、から成る、画像を表示する方法。
【請求項１０】
前記選択された第１の色の光で発生された前記画像と前記選択された第１の色とは別の選択された第２の色の少なくとも１つの別の画像とを光学的に合成するステップを更に含む、請求項９に記載の方法。
【請求項１１】
前記色が、赤、緑、および青から成るグループから選択される、請求項１０に記載の方法。
【発明の詳細な説明】
【技術分野】
【０００１】
本発明は、投射表示に関し、特に、投射表示のための照明系における改良に関する。
【背景技術】
【０００２】
ＬＣＯＳ（Ｌｉｑｕｉｄ  Ｃｒｙｓｔａｌ  Ｏｎ  Ｓｉｌｉｃｏｎ：シリコン基板上の液晶）は、シリコンのウエハ上に形成された１つの大きな液晶として考えることができる。このシリコンのウエハは、小さなプレート電極の追加アレイに分割される。この液晶の小さな追加領域は、小さなプレート電極と共通電極の各々により発生される電界により影響を受ける。この小さなプレート電極および対応する液晶領域は、画像形成装置のセルと呼ばれる。各セルは、個別に制御可能なピクセルに対応する。共通電極と可変のプレート電極の各セット（組）は、画像を形成する。
【０００３】
ＬＣＯＳ画像形成装置に供給される光、すなわち画像形成装置の各セルに供給される光は、電界により偏光される。各液晶セルは、プレート電極によりセルに供給される電界の２乗平均平方根（Ｒｏｏｔ  Ｍｅａｎ  Ｓｑｕａｒｅ：ＲＭＳ）に応答して、入力光の偏光を回転させる。
【０００４】
ＬＣＯＳ画像形成装置を使用して投射エンジンを作るために使用することができる多くの技術がある。１つの方法は、画像を形成する形状にピクセルを配列させるために、ディジタル信号を画像形成装置に供給することである。画像を形成するために、光源からの光は、画像形成装置により定められるピクセルを通り抜け、反対側の反射面で反射する。反射光は、それが発生した方向に画像形成装置を出て行く。この反射光は、画像を拡大して、スクリーンに結像させるレンズを通り抜ける。
【０００５】
ＬＣＯＳから成る画像形成装置は、３つの画像形成装置の組み合わせを使って、カラー表示を形成するために使用することができる。このようなカラー表示を形成する１つの方法は、一緒になって立方体を形成する一連のプリズムを使用する。光が立方体に入ると、この光は３本のビームに分割され、その中の１つが３つの画像形成装置の各々の方向に向けられる。カラー表示の各々は、１つの色だけが各画像形成装置に送られるように、それに関連する赤、緑、または青のフィルタを有する。次いで、各画像形成装置は、対応する色のために、正しい画像に関連するディジタル信号により駆動される。画像形成装置の各々を通り抜ける赤、緑、青の光は、反射面により画像形成装置に反射され戻される。画像形成装置は、或るセルを通過する光の偏光を選択的に変え、変えられた光は適当な偏光フィルタを使うことにより通り抜けたり、阻止されたりする。通り抜けた光は画像を形成する。それぞれの色について発生された画像は、投影しようとする最終的なカラー画像を形成するために、立方体に合成される。
【０００６】
現在、ＬＣＯＳのような投射表示に関する重要な問題の１つは、照射用の適当な光源が不足していることである。既存の技術は、効率が悪く、寿命が短く、また光を使用可能な形態に変換するのに大きな光学的システムを必要とする。このような問題に対する最もありふれた現在の解決策は高圧のアーク・ランプである。この高圧アーク・ランプは工業標準になっている。その主な理由は、程よい寿命を有するこの種の唯一のランプだからである。例えば、典型的な高圧アーク・ランプは寿命が平均１０，０００時間である。
【０００７】
高圧アーク・ランプにより与えられる利点にもかかわらず、高圧アーク・ランプは幾つかの悪い特性を持っている。例えば、実用にかなったエタンデュー（ｅｔｅｎｄｕｅ：放射フラックス密度と放射または受光面の面積の積）を得るためには、非常に小さなアークを必要とする。このことは、光源の低減された寿命を意味し、一般的には、投射表示装置の寿命の間に何度かランプ球を取り換えなければならないことを要求する。
【０００８】
高圧アーク・ランプのもう１つの重大な欠点は、発生される出力の性質に関することである。特に、これらの光源は、スペクトル出力の点で本質的に広帯域である。これは、投射に有用である原色光（赤、緑、青）に加えて、発生する出力が、赤外線の成分および紫外線の成分と共に、可視スペクトル中に望ましくない成分を含んでいる。この光を処理するために使われるカラー・フィルタの非能率性は、より広帯域の色となり、それ故、カラー空間がより小さくなる。
【０００９】
もう１つの問題は、高圧アーク・ランプにより発生されるランダムまたは混合した偏光に関する。ＬＣＯＳのような非ＣＲＴ投射ディスプレイは、特定の偏光を必要とするのが普通であり、従って、偏光分離のために設けられる光学系の構成要素を与えることが必要である。同様に、ランプから発せられる光は、本来白色であるから、赤、緑、青の光を発生するために必要な専用の２色性フィルタを備えることが必要である。エタンデュー「ｅｔｅｎｄｕｅ：放射フラックス密度と放射または受光面の面積の積」を強めるために、集束ビームを均一の矩形照明光に変換するためにインテグレータ（ｉｎｔｅｇｒａｔｏｒ）とコリメータ（ｃｏｌｌｉｍａｔｏｒ）からなる複雑なシステムも必要である。これらの追加の構成要素が、この種のディスプレイ装置のコストを高め、複雑さを増すことは当然である。これらの追加の構成要素は、光学的表示のサイズを大きくし、重さを増加させる。更に、この種のシステムに固有の浪費された光エネルギーは、投射システムにより発生される熱を増大させる。
【００１０】
このような光学系のコストと複雑さを低減させ、画質を改善する試みとして、従来技術の問題点を回避するシステムを提供することが望ましい。従って、高圧アーク・ランプを使用する既存のシステムより熱の発生量が少ない非ＣＲＴディスプレイ用の光源が当技術分野において必要である。また、光学系がコンパクトであり、信頼性が高く、複雑な光の伝送経路を必要としないシステムが当技術分野で必要とされている。
【００１１】
本発明に組み込まれる微小空洞共振器は、かなり長い間存在している。微小空洞は、その中に配置される発光中心の崩壊定数、方向特性、周波数特性を制御するのに特有な性能を有する一般的な構造の一例である。発光中心の光学的な性質の変化としては、自然に起こる発光と励起されて起こる発光の基本的な機構の偏光が含まれる。物理的に、微小空洞のような構造は、光の１波長以下から数１０波長まで変わる寸法を持った光学的共振空洞である。微小空洞は、薄膜技術を使うことにより、１つの集積化構造として形成されるのが普通である。半球のみならず、プレーナー（ｐｌａｎａｒ：平面的な）反射器を有する微小空洞は、レーザの応用例として製造されている。
【００１２】
共振微小空洞表示または共振微小空洞（Ｒｅｓｏｎａｎｔ  Ｍｉｃｒｏｃａｖｉｔｙ  Ａｎｏｄｅ：ＲＭＡ）については、米国特許第５，４６９，０１８号（ヤコブセン氏外に付与された）、同第５，８０４，９１９号（ヤコブセン氏外に付与された）、同第６，１９８，２１１号（ジャフィ氏外に付与された）、およびジャフィ氏外による「共振微小空洞（ＲＭＡ）のアビオニック（ａｖｉｏｎｉｃ）応用例」という題目の論文に詳細に記載されており、これら全てを参考例としてここに引用する。共振微小空洞（ＲＭＡ）の制御された光出力は、ファブリーペロー（Ｆａｂｒｙ‐Ｐｅｒｏｔ）共振器の内側に薄膜の蛍光体を使用する。モノクロームの共振微小空洞（ＲＭＡ）の構造は、共振微小空洞内に埋め込まれた薄膜蛍光体を有するフェースプレートで構成することもできる。先に述べた参考例は、蛍光体粉末を使用する従来のＣＲＴまたはＦＥＤ（Ｆｉｅｌｄ  Ｅｍｉｓｓｉｏｎ  Ｄｉｓｐｌａｙ：電界放出（電界効果電子放出）ディスプレイ）構成に比べて共振微小空洞（ＲＭＡ）構成を使用することの有利性について明確に述べている。
【発明の開示】
【００１３】
（発明の概要）
本発明は、ＬＣＯＳ投射系のための照明源に関する。この照明源は、蛍光体ベースの共振微小空洞のアレイを励起する陰極線管（Ｃａｔｈｏｄｅ  Ｒａｙ  Ｔｕｂｅ：ＣＲＴ）である。共振微小空洞のアレイで使用するために、均一な蛍光体タイプを選択することにより、このＣＲＴは、選択された色の光を排他的に発生するように設計することができる。
【００１４】
一実施例によると、ＬＣＯＳデバイスを通って光が投影されて、画像が形成されるように、共振微小空洞は配列される。画像を拡大して結像させ、スクリーン上に投影するために、投写レンズが設けられる。
【００１５】
また、本発明は、それ自体、画像を表示する方法に関する。この方法は、選択された色の光を排他的に発するための共振微小空洞のアレイを励起するステップと、制御可能な複数のピクセルを定めるＬＣＯＳ画像形成装置を通して光を投影し、画像を発生するステップとを含んでいる。この画像がスクリーン上に容易に投影されるように、レンズを使って画像を拡大して結像させることができる。また、本発明による方法は、最初に選択された色の光で発生される画像と、最初に選択された色とは別の第２に選択された色の少なくとも１つの他の画像を光学的に合成することを含んでいる。この場合、照明源としての色は、赤、緑、青から成るグループから都合よく選択して完全なカラー画像を発生することができる。
【００１６】
別の特徴によると、本発明は、投写型の表示ユニットから成る。この表示ユニットは、ＬＣＯＳデバイスのような、制御可能なピクセルのアレイを有する画像形成装置を含んでいる。また、この表示ユニットは、選択された色の光を排他的に発生する光源も含んでいる。この光源は、画像形成装置を通して光を伝達するように配置されて、画像を発生させる。この画像は、それを拡大して結像させるために、レンズを通して投影される。この光源は、各々が活性領域を有する、共振微小空洞のアレイから成るものが有利である。この活性領域は、発光するように配置された蛍光体を有する。
【００１７】
投写型表示ユニットの好ましい実施例によると、３個の画像形成装置と３個のＣＲＴデバイスが設けられる。この場合、各ＣＲＴデバイスは、画像形成装置の各１つを投影するために各別の色の光を発生し、３つの別個の色画像を発生する。例えば、３つのＣＲＴデバイスは、赤、緑、青の光をそれぞれ発生することができる。また、このシステムは、別個のカラー画像の各々を一緒にして、単一の複合画像を形成するための光学的合成器を含んでいてもよい。
【発明を実施するための最良の形態】
【００１８】
図１は、共振微小空洞のアレイにより増強されたＣＲＴデバイス１００の動作を理解するのに有用な図である。ＣＲＴデバイス１００は、通常、ガラスの真空管１０２と電子ビーム１１７を発生する電子エミッタ１２０を含んでいる。電子ビームは、電子エミッタ１２０に向い合う真空管１０２の面１０４の方向に向けられることが好ましい。電子ビーム１１７は、１行づつ走査して、蛍光体がベースとなっている活性領域を形成するピクセルを照射する。或いは、ＣＲＴデバイスは画像を直接形成しないので、電子ビームは、蛍光体ベースの活性領域の表面の大きな部分を同時に照射するために、電子ビームは更に拡散していてもよい。
【００１９】
蛍光体ベースの共振微小空洞１０５は、電子エミッタ１２０から離れたＣＲＴ１００の端の真空管１０２内であって、発光面１０４に平行に設けられるのが好ましい。共振微小空洞１０５は、基板１１６上に成長させられるのが有利である。共振微小空洞１０５は、前方の反射器１１４と後方の反射器の間に配置される蛍光体ベースの活性領域１１０から成る。
【００２０】
本発明の目的のために、単一の色の光出力１１８を排他的に発生するように、蛍光体が選択されるのが好ましい。当該技術分野でよく知られているように、共振微小空洞用に選択された特定の構造は、共振微小空洞を形成するための種々の材料が使用される種々の実現形態から成る。電子エミッタ１２０により蒸着される電子をそらすために、微小空洞１０５の隣にアルミニウム８０の層を配置してもよい。また、このアルミニウム８０の層は、補足層１０８に対して追加の反射面として働く。
【００２１】
図１には、プレーナー・ミラー型式の共振微小空洞１０５が示されている。しかしながら、当業者は、本発明がそれに限定されることを意図していないことを理解するだろう。例えば、共振器を形成するために、焦点を共有するミラーを使用することもできる。
【００２２】
ＣＲＴに共振微小空洞を使用することは知られている。例えば、共振微小空洞を使用することは、米国特許第５，４６９，０１８号（ヤコブセン氏外に付与された）、同５，８０４，９１９号（ヤコブセン氏外に付与された）、同６，１９８，２１１号（ジャフィ氏外に付与された）、およびジャフィ氏外により書かれた「共振微小空洞アノードのアビオニック応用例」と題する論文に十分に記載されており、これら全てを本明細書中に参照用に組み込む。しかしながら、ＣＲＴ型式の表示装置は、カラー蛍光体を使用して画像を直接発生する応用例で通常用いられてきた。これと比較して、本発明は、比較的高い強度とよいスペクトル純度を有する選択された波長の光源として、共振微小空洞アレイで増強されたＣＲＴを排他的に使用するものである。特に、本発明は、以下に更に詳細に説明するように、ＬＣＯＳ型式の表示システムにおいて、この種のＣＲＴを使用するものである。
【００２３】
図２は、本発明を説明するのに有用なＬＣＯＳ投射表示系のブロック図である。本発明は、ＬＣＯＳ表示のための光を発生するために、カラー・フィルタと合成された高圧アーク・ランプを使用する従来のＬＣＯＳ表示系とは異なる。すなわち、選択された波長と強度の光を直接発生するために、１つまたはそれ以上の共振微小空洞型式のＣＲＴユニット２０２、２０４、２０６が配置される。例えば、好ましい実施例において、赤、緑、青の光の１つを発生するために、各ＣＲＴが選択される。ＣＲＴ２０２、２０４、２０６により発生される光は、各ＣＲＴ用に設けられた関連する偏向ビーム・スプリッタ２０８を通り抜ける。それぞれの偏光ビーム・スプリッタ２０８を通り抜ける光は、４分の１波長板２１０とそれぞれのＬＣＯＳ画像形成装置を通り抜けて画像を形成する。この光は、ＬＣＯＳ画像形成装置２１２で反射され、各場合に示されるように、偏光ビーム・スプリッタ２０８で反射され、普通の２色性合成器２１４の方に向かう。この２色性合成器２１４は、反射された画像を合成し、投写レンズ２１６の方へ向ける。
【００２４】
本明細書で説明したように、共振微小空洞により増強された（ｅｎｈａｎｃｅｄ）ＣＲＴ用照明源は、幾つかの重要な利点をもたらす。例えば、ＣＲＴユニットは、高圧アーク・ランプに比べて相当に長い寿命を有し、また熱の発生量が少ない。また、本発明の方法は、高圧アーク・ランプから供給される照明を赤、緑、青に分離するためのカラー・フィルタの必要性を排除する。更に、共振微小空洞で強調された（ｅｎｈａｎｃｅｄ）ＣＲＴにより発生される光は、従来の色濾波技術を使って達成できる光に比べて、より高いスペクトル純度のものである。本明細書で説明した本発明による方法を使用すると、相当に大きなカラー空間が得られる。
【図面の簡単な説明】
【００２５】
【図１】図１は、ＣＲＴにより励起される共振微小空洞アレイの概念を説明するのに有用な図である。
【図２】図２は、共振微小空洞型式のＣＲＴが、ＬＣＯＳ表示用の照明源として、どのように使用されるかを説明するのに有用な図である。
【図１】
2005515508.tif 000003
【図２】
2005515508.tif 000004
【手続補正書】
【提出日】平成16年2月6日(2004.2.6)
【手続補正１】
【補正対象書類名】特許請求の範囲
【補正対象項目名】全文
【補正方法】変更
【補正の内容】
【特許請求の範囲】
【請求項１】
複数の制御可能なピクセルを定める画像形成装置（２１２）と、
選択された色の光を排他的に発生する光源であって、前記光を前記画像形成装置を通って伝達して、画像を発生するように構成された、前記光源（２０２、２０４、２０６）と、
前記画像を拡大して、スクリーン上に投影するために前記画像を結像させる投写レンズ（２１６）と、から成り、
前記光源が、活性領域（１１０）を有する共振微小空洞（１０５）を励起するＣＲＴデバイス（１００）から成り、前記活性領域が、前記選択された色の光を排他的に発する蛍光体を有する、投射型表示ユニット。
【請求項２】
前記画像形成装置がＬＣＯＳデバイスである、請求項１に記載の投射型表示ユニット。
【請求項３】
前記画像形成装置が３つ設けられ、前記ＣＲＴデバイスが３つ設けられ、前記ＣＲＴデバイスの各々は、前記画像形成装置の各１つを通って投影するための別個の色の光を排他的に発生し、３つの別個のカラー画像を発生する、請求項１に記載の投射型表示ユニット。
【請求項４】
前記３つのＣＲＴデバイスが、赤、緑、青の光をそれぞれ発生する、請求項３に記載の投射型表示ユニット。
【請求項５】
前記別個のカラー画像を合成して、単一の複合画像を形成する光学的合成器を更に含む、請求項４に記載の投射型表示ユニット。
【請求項６】
投光スクリーンの陰極線管（１０２）と、
選択された色の光を排他的に発生するために、前記ＣＲＴデバイスにより励起される共振微小空洞（１０５）のアレイと、から成る、ＬＣＯＳ投射システム用の照明源。
【請求項７】
前記光がＬＣＯＳデバイス（２１２）を通って投射され、画像を発生するように前記共振微小空洞のアレイが配置されている、請求項６に記載の照明源。
【請求項８】
前記画像を拡大して、前記画像をスクリーン上に投影するための投写レンズ（２１６）を更に含む、請求項７に記載の照明源。
【請求項９】
選択された色の光を排他的に発するように構成された共振微小空洞のアレイをＣＲＴで励起するステップと、
複数の制御可能なピクセルを定めるＬＣＯＳ画像形成装置を通るように前記光を投写して、画像を発生するステップと、
前記画像を拡大して、スクリーン上に投影するためのレンズを通して前記画像を結像するステップと、から成る、画像を表示する方法。
【請求項１０】
前記選択された第１の色の光で発生された前記画像と前記選択された第１の色とは別の選択された第２の色の少なくとも１つの別の画像とを光学的に合成するステップを更に含む、請求項９に記載の方法。
【請求項１１】
前記色が、赤、緑、および青から成るグループから選択される、請求項１０に記載の方法。
【手続補正２】
【補正対象書類名】明細書
【補正対象項目名】００２０
【補正方法】変更
【補正の内容】
【００２０】
本発明の目的のために、単一の色の光出力１１８を排他的に発生するように、蛍光体が選択されるのが好ましい。当該技術分野でよく知られているように、共振微小空洞用に選択された特定の構造は、共振微小空洞を形成するための種々の材料が使用される種々の実現形態から成る。電子エミッタ１２０により蒸着される電子をそらすために、微小空洞１０５の隣にアルミニウム１０６の層を配置してもよい。また、このアルミニウム１０６の層は、補足層１０８に対して追加の反射面として働く。


【手続補正書】
【提出日】平成16年11月19日(2004.11.19)
【手続補正１】
【補正対象書類名】特許請求の範囲
【補正対象項目名】全文
【補正方法】変更
【補正の内容】
【特許請求の範囲】
【請求項１】
複数の制御可能なピクセルを定める画像形成装置（２１２）と、
選択された色の光を排他的に発生する光源であって、前記光を前記画像形成装置を通って伝達して、画像を発生するように構成された、前記光源（２０２、２０４、２０６）と、
前記画像を拡大して、スクリーン上に投影するために前記画像を結像させる投写レンズ（２１６）と、から成り、
前記光源が、活性領域（１１０）を有する共振微小空洞（１０５）を励起するＣＲＴデバイス（１００）から成り、前記活性領域が、前記選択された色の光を排他的に発する蛍光体を有する、投射型表示ユニット。
【請求項２】
前記画像形成装置がＬＣＯＳデバイスである、請求項１に記載の投射型表示ユニット。
【請求項３】
前記画像形成装置が３つ設けられ、前記ＣＲＴデバイスが３つ設けられ、前記ＣＲＴデバイスの各々は、前記画像形成装置の各１つを通って投影するための別個の色の光を排他的に発生し、３つの別個のカラー画像を発生する、請求項１に記載の投射型表示ユニット。
【請求項４】
前記３つのＣＲＴデバイスが、赤、緑、青の光をそれぞれ発生する、請求項３に記載の投射型表示ユニット。
【請求項５】
前記別個のカラー画像を合成して、単一の複合画像を形成する光学的合成器を更に含む、請求項４に記載の投射型表示ユニット。
【請求項６】
投光スクリーンの陰極線管（１００）と、
選択された色の光を排他的に発生するために、前記ＣＲＴデバイスにより励起される共振微小空洞（１０５）のアレイと、から成る、ＬＣＯＳ投射システム用の照明源。
【請求項７】
前記光がＬＣＯＳデバイス（２１２）を通って投射され、画像を発生するように前記共振微小空洞のアレイが配置されている、請求項６に記載の照明源。
【請求項８】
前記画像を拡大して、前記画像をスクリーン上に投影するための投写レンズ（２１６）を更に含む、請求項７に記載の照明源。
【請求項９】
選択された色の光を排他的に発するように構成された共振微小空洞のアレイをＣＲＴで励起するステップと、
複数の制御可能なピクセルを定めるＬＣＯＳ画像形成装置を通るように前記光を投写して、画像を発生するステップと、
前記画像を拡大して、スクリーン上に投影するためのレンズを通して前記画像を結像するステップと、から成る、画像を表示する方法。
【請求項１０】
前記選択された第１の色の光で発生された前記画像と前記選択された第１の色とは別の選択された第２の色の少なくとも１つの別の画像とを光学的に合成するステップを更に含む、請求項９に記載の方法。
【請求項１１】
前記色が、赤、緑、および青から成るグループから選択される、請求項１０に記載の方法。
【手続補正２】
【補正対象書類名】明細書
【補正対象項目名】００１８
【補正方法】変更
【補正の内容】
【００１８】
図１は、共振微小空洞のアレイにより増強されたＣＲＴデバイス１００の動作を理解するのに有用な図である。ＣＲＴデバイス１００は、通常、ガラスの真空管１０２と電子ビーム１１７を発生する電子エミッタ１２０を含んでいる。電子ビームは、電子エミッタ１２０に向い合う真空管１０２の面１０４の方向に向けられることが好ましい。電子ビーム１１７は、１行づつ走査して、蛍光体がベースとなっている活性領域を形成するピクセルを照射する。或いは、ＣＲＴデバイスは画像を直接形成しないので、電子ビームは、蛍光体ベースの活性領域の表面の大きな部分を同時に照射するために、電子ビームは更に拡散していてもよい。このように、ＣＲＴは投光スクリーンの陰極線管として周知である。
【国際調査報告】
2005515508.tif 000005